(57)【要約】 【課題】  部品点数が少なく、温熱板の取り付けが極めて簡単でしかも二分した割型部材にそれぞれ係止保持されるので、安定性良好ではずれ難くすることができる。【解決手段】  二分した割型部材２ａ、２ｂ、３ａ、３ｂの各髪挟部４、４後部の内側縁にそれぞれ係止片１４ａ２、１４ｂ２、１４ａ３、１４ｂ３を設けると共に、各温熱板９は平板状の本体９ａと、と、本体９ａ裏側左右に垂下した釣り針状の側面壁９ｂ、９ｂと、両側面壁９ｂ、９ｂのそれぞれ後部に本体に近い一部をカットした各切欠部９ｃ、９ｃとを設け、各温熱板９のそれぞれ後方は、各切欠部９ｃ、９ｃを各割型部材２ａ、２ｂ、３ａ、３ｂの各係止片１４ａ２、１４ｂ２、１４ａ３、１４ｂ３に係止し、各温熱板９のそれぞれ前方は、各割型部材２ａ、２ｂ、３ａ、３ｂの各髪挟部４、４前面より各ビス２２を各温熱板９側面壁９ｂ、９ｂの釣り針状の湾曲内側に挿通して、各温熱板９前後両側を二分した割型部材２ａ、２ｂ、３ａ、３ｂの各髪挟部４、４に嵌合する構成としている。【選択図】   図３
2006167148.tif 000002
【特許請求の範囲】
【請求項１】
前部を髪挟部（４）、後部を握手部（５）とする一対の把持部材（２）、（３）を設け、この両把持部材（２）、（３）の各握手部（５）、（５）を軸（６）で開閉自在に連結し、両握手部（５）、（５）の軸受部（７）、（７）間に備えたバネ（８）を常時両把持部材（２）、（３）の髪挟部（４）、（４）が互いにＶ字型に開放する方向に付勢し、一対の把持部材（２）、（３）をそれぞれ長手方向に二分した割型部材（２ａ）、（２ｂ）、（３ａ）、（３ｂ）に分割すると共に、それぞれのヒーター（１０）、（１０）の通電により発熱し、かつそれぞれの把持部材（２）、（３）の二分した割型部材（２ａ）、（２ｂ）、（３ａ）、（３ｂ）の髪挟部（４）、（４）間に挟み込まれるそれぞれの温熱板（９）、（９）を設け、各ヒーター（１０）、（１０）と共に各温熱板（９）、（９）を向かい合う温熱板側に向けて付勢するそれぞれの板バネ（１１）、（１１）を設け、髪の毛を一対の温熱板（９）、（９）間に挟み込んで、両把持部材（２）、（３）のそれぞれの髪挟部（４）、（４）を閉じ、髪の毛を整えるヘアアイロン（１）に於いて、
上記二分した割型部材（２ａ）、（２ｂ）、（３ａ）、（３ｂ）の各髪挟部（４）、（４）後部の内側縁にそれぞれ係止片（１４ａ２）、（１４ｂ２）、（１４ａ３）、（１４ｂ３）を設けると共に、各温熱板（９）は平板状の本体（９ａ）と、と、本体（９ａ）裏側左右に垂下した釣り針状の側面壁（９ｂ）、（９ｂ）と、両側面壁（９ｂ）、（９ｂ）のそれぞれ後部に本体に近い一部をカットした各切欠部（９ｃ）、（９ｃ）とを設け、各温熱板（９）のそれぞれ後方は、各切欠部（９ｃ）、（９ｃ）を各割型部材（２ａ）、（２ｂ）、（３ａ）、（３ｂ）の各係止片（１４ａ２）、（１４ｂ２）、（１４ａ３）、（１４ｂ３）に係止し、各温熱板（９）のそれぞれ前方は、各割型部材（２ａ）、（２ｂ）、（３ａ）、（３ｂ）の各髪挟部（４）、（４）前面より各ビス（２２）を各温熱板（９）側面壁（９ｂ）、（９ｂ）の釣り針状の湾曲内側に挿通して、各温熱板（９）前後両側を二分した割型部材（２ａ）、（２ｂ）、（３ａ）、（３ｂ）の各髪挟部（４）、（４）に嵌合することを特徴としたヘアアイロン。
【発明の詳細な説明】
【技術分野】
【０００１】
本発明は、主として美容サロン等で業務用に使用されるヘアアイロンに関するものである。
【背景技術】
【０００２】
従来、ヘアアイロンとしては、前部を髪挟部、後部を握手部とする一対の把持部材を設け、この両把持部材の握手部を軸で開閉自在に連結し、両握手部の軸受け部間に備えたバネを常時両把持部材の髪挟部が互いにＶ字型に開放する方向に付勢すると共に両把持部材の向かい合う髪挟部内側にヒーターの通電により発熱する温熱板を互いに相対して装着する構造のヘアアイロンが特開２００２−２９１５１７号公報（特許文献１、図１及び図２参照）として存在する。
【０００３】
【特許文献１】特開２００２−２９１５１７号（図１及び図２）
【０００４】
以下、特許文献１の図１及び図２により従来のヘアアイロンについて説明する。
この特許文献１のヘアアイロンは、一対の把持部材をそれぞれ長手方向に二分した割型部材に分割すると共に、各温熱板を平板状の本体と本体裏側の左右に垂下した側面部とを設け、各温熱板の側面部に備えた外側縁を把持部材の二分した割型部材の各髪挟部の口縁の裏面に係止させて、髪挟部との間に適宜のクリアランスを形成させるように嵌合し、髪挟部の底面との間に温熱板と向かい合う温熱板側に向けて付勢する板バネを設ける構成としていた。
【発明の開示】
【発明が解決しようとする課題】
【０００５】
ところが、この種のヘアアイロンでは、温熱板の左右両側を二分した割型部材の各髪挟部口縁にそれぞれ挟み込んで各温熱板を各把持部材の髪挟部に保持するために、温熱板の裏側にヒーターや板バネをセットした状態で二分した割型部材間に温熱板を取り付けなければならず、安定性悪くてはずれやすく、確実に取り付けることが難しく、非常に煩わしい取付作業となるという問題点があった。
【課題を解決するための手段】
【０００６】
本発明は、前部を髪挟部４、後部を握手部５とする一対の把持部材２、３を設け、この両把持部材２、３の各握手部５、５を軸６で開閉自在に連結し、両握手部５、５の軸受部７、７間に備えたバネ８を常時両把持部材２、３の髪挟部４、４が互いにＶ字型に開放する方向に付勢し、一対の把持部材２、３をそれぞれ長手方向に二分した割型部材２ａ、２ｂ、３ａ、３ｂに分割すると共に、それぞれのヒーター１０、１０の通電により発熱し、かつそれぞれの把持部材２、３の二分した割型部材２ａ、２ｂ、３ａ、３ｂの髪挟部４、４間に挟み込まれるそれぞれの温熱板９、９を設け、各ヒーター１０、１０と共に各温熱板９、９を向かい合う温熱板側に向けて付勢するそれぞれの板バネ１１、１１を設け、髪の毛を一対の温熱板９、９間に挟み込んで、両把持部材２、３のそれぞれの髪挟部４、４を閉じ、髪の毛を整えるヘアアイロン１に於いて、上記二分した割型部材２ａ、２ｂ、３ａ、３ｂの各髪挟部４、４後部の内側縁にそれぞれ係止片１４ａ２、１４ｂ２、１４ａ３、１４ｂ３を設けると共に、各温熱板９は平板状の本体９ａと、と、本体９ａ裏側左右に垂下した釣り針状の側面壁９ｂ、９ｂと、両側面壁９ｂ、９ｂのそれぞれ後部に本体に近い一部をカットした各切欠部９ｃ、９ｃとを設け、各温熱板９のそれぞれ後方は、各切欠部９ｃ、９ｃを各割型部材２ａ、２ｂ、３ａ、３ｂの各係止片１４ａ２、１４ｂ２、１４ａ３、１４ｂ３に係止し、各温熱板９のそれぞれ前方は、各割型部材２ａ、２ｂ、３ａ、３ｂの各髪挟部４、４前面より各ビス２２を各温熱板９側面壁９ｂ、９ｂの釣り針状の湾曲内側に挿通して、各温熱板９前後両側を二分した割型部材２ａ、２ｂ、３ａ、３ｂの各髪挟部４、４に嵌合する構成としている。
【発明の効果】
【０００７】
本発明は、従来の問題点を解決したものであって、部品点数が少なく、温熱板の取り付けが極めて簡単でしかも二分した割型部材にそれぞれ係止保持されるので、安定性良好ではずれ難くすることができる。
【発明を実施するための最良の形態】
【０００８】
ヘアアイロン１は、前部を髪挟部４、後部を握手部５とする上下一対の把持部材２，３と、この両握手部５，５を横に挿通して両把持部材２，３を開閉自在に連結する軸６と、両握手部５，５の軸受部７，７間に装着して、両把持部材２，３の髪挟部４，４を常時開放方向に付勢するコイル状のバネ８と、両髪挟部４，４内にそれぞれ嵌合して互いに向かい合う温熱板９，９と、各温熱板９の裏面に当接して通電により温熱板９を加熱するヒーター１０，１０と、各髪挟部４の内側底面と各温熱板９との間に介設されて、各温熱板９を常時向かい合う温熱板側に付勢する各板バネ１１，１１と、両温熱板９，９の温度を段階的に切り替えコントロールするスイッチ１２と、段階的に切り替わる温度変化を段階的に表示する表示ランプ群１３とから構成されている。
【０００９】
上下一対の把持部材２、３は、図３に示すように、それぞれ長手方向に沿って左右に二分した割型部材２ａ、２ｂ、３ａ、３ｂで形成している。
それぞれの割型部材２ａ、２ｂ、３ａ、３ｂは、それぞれ前部に各髪挟部４を半割した半割髪挟部４ａ２、４ｂ２、４ａ３、４ｂ３を設け、それぞれ後部に各握手部５を半割した半割握手部５ａ２、５ｂ２、５ａ３、５ｂ３を設け、各半割握手部５ａ２、５ｂ２、５ａ３、５ｂ３を内部中空に設けている。
【００１０】
図３に示すように、上下一対の把持部材２、３で一方の右側の割型部材２ｂと左側の割型部材３ａとの各半割握手部５ｂ２、５ａ３の内部中空後方に軸受部７，７をそれぞれ設けている。
【００１１】
上側の把持部材２の割型部材２ｂには、図３に示すように、後述の表示ランプ群１３を右側前面より透視可能な複数の透孔２３，２３と、その後方にスイッチ用の透孔２４とを穿設している。
２５は、複数の透孔２３，２３とスイッチ用の透孔２４とを覆う表示用シールである。
【００１２】
各割型部材２ａ、２ｂ、３ａ、３ｂの各半割髪挟部４ａ２、４ｂ２、４ａ３、４ｂ３には、図６に示すように、それぞれ後部で後述の温熱板９，９を保持する各係止片１４ａ２、１４ｂ２、１４ａ３、１４ｂ３を口縁内側に設けている。
【００１３】
右側の割型部材２ｂと左側の割型部材３ａの軸受部７，７間にコイル状のバネ８を通した後、右側の割型部材２ｂの外側より軸６を挿通し、ボルト１５とナット１６及びワッシャーを介して締め付け、右側の割型部材２ｂと左側の割型部材３ａとを固定している。これによって、組み立てられた際、図１に示すように、常時Ｖ字型に開放しており、握手部５、５に片方の手で握って力をこめれば、図２に示すように、一対の把持部材２，３の髪挟部４，４間を閉じることができる。
【００１４】
二つの割型部材２ａ、２ｂを組み合わせた把持部材２の握手部５内の中空部又は、割型部材３ａ、３ｂを組み合わせた把持部材３の握手部５内の中空部には、後述の表示ランプ群１３を操作する表示用基板１７と、外部電源を供給する電源コード１９及びコンデンサ２０、ヒーター用のメイン基板２１と、それらを結ぶ配線（図示せず）等を内蔵している。
【００１５】
又、把持部材２の半割握手部５ｂ２の複数の透孔２３，２３及びスイッチ用の透孔２４とを有する内側には、表示ランプ群１３及びスイッチ１２とを備えた表示用基板１７を内蔵しており、上述のメイン基板２１等と配線（図示せず）を介して接続している。この表示用基板１７及びメイン基板２１は、マイコン制御している。
【００１６】
各把持部材２、３の半割髪挟部４ａ２、４ｂ２、４ａ３、４ｂ３に保持される各温熱板９，９は、アルミニウム材料にて図５に示すように、平板状の本体９ａと、後述のヒーター１０の幅に応じた間隔で本体の裏面の左右に垂下した釣り針状の側面壁９ｂ、９ｂとを設けている。
この各温熱板９，９の各側面壁９ｂ、９ｂは、後端に各割型部材２ａ、２ｂ又は３ａ、３ｂの各係止片１４ａ２、１４ｂ２又は１４ａ３、１４ｂ３をそれぞれ嵌合する各切欠部９ｃ、９ｃ、９ｃ、９ｃを設けている。
【００１７】
各温熱板９，９の裏側には、図７及び図８に示すように、平板状のセラミックのヒーター１０，１０を当接している。
１１は、図３、図７及び図８に示すように、各各髪挟部４の内側底面と温熱板９並びにヒーター１０との間に介設されて温熱板９を常時向かい合う温熱板側に付勢する板バネである。
この各板バネ１１は、中央部分にヒーター１０の幅に見合う広幅部分を設け、後部に温熱板９の両側面壁９ｂ、９ｂ間から髪挟部４の内側底面に達する斜面部分を設けている。
【００１８】
各温熱板９は、裏面にヒーター１０及び板バネ１１をセットした状態で、左側の側面壁９ｂの後部の切欠部９ｃを二分された一つの割型部材３ａの半割髪挟部４ａ３の係止片１４ａ３に本体９ａを上向きにして、下側より引っ掛けることにより、一次仮止めされ、更に、ビス２２をこの一つの割型部材３ａの半割髪挟部４ａ３前方より螺着して、ビスの先を左側の側面壁９ｂの釣り針状の湾曲内側に挿入させる。これによって、割型部材３ａの半割髪挟部４ａ３にヒーター１０及び板バネ１１をセットした状態で温熱板９の左側の側面壁９ｂが係止される。
【００１９】
又、同様にして割型部材３ｂの半割髪挟部４ｂ３に温熱板９の右側の側面壁９ｂが係止され、下側の把持部材３の髪挟部４に温熱板９を保持することができる。更に、上側の把持部材２の髪挟部４に他方の温熱板９を保持することができる。
【００２０】
この把持部材の髪挟部に温熱板を保持した状態では、図７及び図８に示すように、板バネの反発力によって温熱板の後方で温熱板の切欠部が割型部材の係止片に接触し、温熱板の前方で側面壁の釣り針状の湾曲内側に挿入されたビスの先とによって、温熱板の上方への飛び出しが規制されると共に、温熱板の本体と割型部材の半割髪挟部の口縁との隙間が向かい合う温熱板間を閉じた際の温熱板の降下範囲いわゆる板バネの微調整範囲を示している。
【００２１】
板バネ１１の斜面部分は、ヒーター１０を介して温熱板の後方で髪挟部内側底面に接触しているので、温熱板が加温され、一対の把持部材の先端側がそれぞれ向かい合う方向と反対側に反り返える状態となっても、常時温熱板の後方が持ち上がるような状態となるために、相対する温熱板間を平行に維持するよう作用することとなる。
【００２２】
各温熱板９の温度は、スイッチ１２の作動によって、８０度、１００度、１２０度、１４０度、１６０度と５段階に変化することができる。この温度変化は、特に限定するものではなく、８０度、１２０度、１６０度と３段階にすることも又８０度から１６０度間を区切ることなく温度変化させることもできる。
【００２３】
温度変化を表示する表示ランプ群１３は、上述の５段階の温度に伴って五色のランプにて表示している。勿論、このランプ表示も特に限定するものでなく、温度変化を３段階にすればランプ表示も３段階表示してもよい。
【００２４】
スイッチ１２は、把持部材２の握手部５の前方側壁に設けており、図２に示すように、握手部５を握った一方の手の指がタッチできるような位置に配置している。
【００２５】
以上本発明の代表的と思われる実施例について説明したが、本発明は必ずしもこれら実施例構造のみに限定されるものではなく、本発明にいう前記の構成要件を備え、かつ、本発明にいう目的を達成し、本発明にいう効果を有する範囲内において適宜改変して実施することができるものである。
【図面の簡単な説明】
【００２６】
【図１】本発明実施例の側面図。
【図２】本発明実施例の髪挟部を閉じた状態を示す斜視図。
【図３】本発明実施例の分解斜視図。
【図４】本発明実施例の下側の把持部材を示す斜視図。
【図５】本発明実施例の温熱板を示す斜視図。
【図６】図４のイ部を示す拡大斜視図。
【図７】本発明実施例の温熱板後方の取り付けを示す縦断面説明図。
【図８】本発明実施例の温熱板長手方向取り付けを示す縦断面説明図。
【符号の説明】
【００２７】
１…ヘアアイロン
２…上側の把持部材
２ａ…左側の割型部材
２ｂ…右側の割型部材
３…下側の把持部材
３ａ…左側の割型部材
３ｂ…右側の割型部材
４、４…髪挟部
４ａ２…左側の割型部材の半割髪挟部
４ｂ２…右側の割型部材の半割髪挟部
４ａ３…左側の割型部材の半割髪挟部
４ｂ３…右側の割型部材の半割髪挟部
５、５…握手部
５ａ２…左側の割型部材の半割握手部
５ｂ２…右側の割型部材の半割握手部
５ａ３…左側の割型部材の半割握手部
５ｂ３…右側の割型部材の半割握手部
６…、軸
７、７…軸受部
８…コイル状のバネ
９、９…温熱板
９ａ…本体
９ｂ、９ｂ…側面壁
９ｃ、９ｃ…切欠部
１０、１０…ヒーター
１１、１１…板バネ
１２…スイッチ
１３…表示ランプ群
１４ａ２、１４ｂ２、１４ａ３、１４ｂ３…係止片
１５…ボルト
１６…ナット
１７…表示用基板
１９…電源コード
２０…コンデンサ
２１…メイン基板
２２、２２…ビス
２３，２３…表示ランプ用の透孔
２４…スイッチ用の透孔
２５…表示用シール
【図１】
2006167148.tif 000003
【図２】
2006167148.tif 000004
【図３】
2006167148.tif 000005
【図４】
2006167148.tif 000006
【図５】
2006167148.tif 000007
【図６】
2006167148.tif 000008
【図７】
2006167148.tif 000009
【図８】
2006167148.tif 000010